(57)【要約】【課題】  生成元となる動画が存在する代表動画の連続再生中に、生成元の動画の存在と再生操作ガイドをユーザに通知できるようにする。【解決手段】  再生中の代表動画に対して、システム制御回路（２２）は、生成元になる動画がメモリ（２０）に記録されているかどうかを調べる。生成元になる動画がメモリ（２０）に記録されている場合、システム制御回路（２２）は、混合回路（３２）により、生成元になる動画の存在と再生操作ガイドを再生映像信号に混合させる。【選択図】  図１
2010199907.tif 000002
【特許請求の範囲】
【請求項１】
記録開始操作に応じて動画記録を開始し、記録停止操作に応じて前記動画記録を停止する通常記録モードと、記録開始操作に応じて動画記録を開始し、時間の経過により前記動画記録を自動的に停止するスナップ記録モードを有する記録再生装置であって、
前記通常記録モードで記録される動画から代表動画を生成する代表動画生成手段と、
前記代表動画から元となる動画を検索する検索手段と、
前記通常記録モードで記録される動画、前記スナップ記録モードで記録される動画、及び、前記代表動画を再生できる再生手段と、
前記再生手段が再生している動画に対する元となる動画の有無を表示する表示手段であって、前記代表動画を再生しているときに、再生中の代表動画の元になる動画の再生操作ガイドを表示する表示手段と、
前記再生操作ガイドに示される操作に従い、前記再生手段に前記元となる動画を再生させる制御手段
とを具備することを特徴とする記録再生装置。
【請求項２】
記録開始操作に応じて動画記録を開始し、記録停止操作に応じて前記動画記録を停止する通常記録モードと、記録開始操作に応じて動画記録を開始し、時間の経過により前記動画記録を自動的に停止するスナップ記録モードを有する記録再生装置であって、
前記通常記録モードで記録される動画から代表動画を生成する代表動画生成手段と、
前記代表動画から元となる動画を検索する検索手段と、
前記通常記録モードで記録される動画、前記スナップ記録モードで記録される動画、及び、前記代表動画を再生できる再生手段と、
一覧表示画面において、元となる動画の有無と、元になる動画のある代表動画に対する前記元になる動画の再生操作ガイドを表示する表示手段と、
前記再生操作ガイドに示される操作に従い、前記再生手段に前記元となる動画を再生させる制御手段
とを具備することを特徴とする記録再生装置。
【発明の詳細な説明】
【技術分野】
【０００１】
本発明は、記録再生装置に関し、より具体的には、動画を記録再生する記録再生装置に関する。
【背景技術】
【０００２】
【先行技術文献】
【特許文献】
【０００３】
【特許文献１】特開２００８−２９４８３３号公報
【０００４】
磁気テープではなく、光ディスク、ハードディスクドライブ又はフラッシュメモリ等のランダムアクセス可能な記録媒体を使う撮像装置が普及している。デジタルビデオカメラでも静止画撮影機能をするものがあり、デジタルスチルカメラでも、動画撮影機能を有するものがある。
【０００５】
近年、ユーザの記録指示に従い、一定時間（例えば、５秒）分の撮影画像を録画する短時間の動画記録モードを有するものが知られている。このような短時間の動画記録モードを、スナップムービー記録モード又は、スナップ記録モードと呼ぶことにする。このようなスナップ写真的に録画された動画をスナップムービーと呼ぶ。
【０００６】
デジタルカメラは、パーソナルコンピュータ（ＰＣ）などのデジタル機器との親和性が高い。そこで、短時間の動画を記録した上で、電子メールなどに添付して送信したり、Ｗｅｂページ上にアップロードして公開することが容易になっている。
【０００７】
撮像装置においても、録画内容を簡易に確認する手段として、録画済みの各動画の代表的な又は注目する部分動画を含むプレイリスト、すなわち確認用プレイリストを作成する技術も知られている（特許文献１）。
【発明の概要】
【発明が解決しようとする課題】
【０００８】
確認用プレイリストに従い各動画の部分動画を連続再生している場合、再生中の部分動画の続きを再生したいときがある。しかし、従来例では、再生中の部分画像がどの動画に含まれるものかをユーザに示す手段も、続きの再生を指示する手段も無く、即座に続きを再生することが難しかった。
【０００９】
また、スナップ記録モードで録画された動画は、短時間であることから、その全部が確認用プレイリストに従い再生されることになり、通常、続きは存在しない。ユーザの記録開始と記録停止の操作の間の撮影画像を動画記録する通常記録モードで録画された動画と、スナップ記録モードで録画された動画が混在する場合に、この問題はより顕著となる。続きのある部分動画と、続きの無い部分動画が混在するからである。
【００１０】
本発明は、このような問題を解決する記録再生装置を提示することを目的とする。
【課題を解決するための手段】
【００１１】
本発明に係る記録再生装置は、記録開始操作に応じて動画記録を開始し、記録停止操作に応じて前記動画記録を停止する通常記録モードと、記録開始操作に応じて動画記録を開始し、時間の経過により前記動画記録を自動的に停止するスナップ記録モードを有する記録再生装置であって、前記通常記録モードで記録される動画から代表動画を生成する代表動画生成手段と、前記代表動画から元となる動画を検索する検索手段と、前記通常記録モードで記録される動画、前記スナップ記録モードで記録される動画、及び、前記代表動画を再生できる再生手段と、前記再生手段が再生している動画に対する元となる動画の有無を表示する表示手段であって、前記代表動画を再生しているときに、再生中の代表動画の元になる動画の再生操作ガイドを表示する表示手段と、前記再生操作ガイドに示される操作に従い、前記再生手段に前記元となる動画を再生させる制御手段とを具備することを特徴とする。
【００１２】
本発明に係る記録再生装置は、記録開始操作に応じて動画記録を開始し、記録停止操作に応じて前記動画記録を停止する通常記録モードと、記録開始操作に応じて動画記録を開始し、時間の経過により前記動画記録を自動的に停止するスナップ記録モードを有する記録再生装置であって、前記通常記録モードで記録される動画から代表動画を生成する代表動画生成手段と、前記代表動画から元となる動画を検索する検索手段と、前記通常記録モードで記録される動画、前記スナップ記録モードで記録される動画、及び、前記代表動画を再生できる再生手段と、一覧表示画面において、元となる動画の有無と、元になる動画のある代表動画に対する前記元になる動画の再生操作ガイドを表示する表示手段と、前記再生操作ガイドに示される操作に従い、前記再生手段に前記元となる動画を再生させる制御手段とを具備することを特徴とする。
【発明の効果】
【００１３】
本発明によれば、ユーザは、生成元になる動画がある場合に画面上で知ることができ、簡易に生成元になる動画の再生に移行できる。
【図面の簡単な説明】
【００１４】
【図１】本発明の一実施例の概略構成ブロック図である。
【図２】本実施例の通常記録／スナップ記録の記録動作を示すフローチャートである。
【図３】長時間動画から代表動画を生成する処理を示すフローチャートである。
【図４】代表動画から元となる原長時間動画を検索する処理を示すフローチャートである。
【図５】代表動画の連続再生時の動作フローチャートである。
【図６】代表動画再生時の表示画面例である。
【図７】代表動画を一覧表示する動作を示すフローチャートである。
【図８】代表動画の一覧表示画面でのユーザ通知画面例である。
【発明を実施するための形態】
【００１５】
以下、図面を参照して、本発明の実施例を詳細に説明する。
【実施例１】
【００１６】
図１は、本発明の一実施例を使用する撮像装置の概略構成ブロック図を示す。撮像素子１０は、被写体を含む光学像を電気画像信号に変換する。アナログフロントエンド回路（ＡＦＥ）１２は、撮像素子１０からのアナログ画像信号をサンプリングし、デジタル信号に変換する。カメラ信号処理回路１４は、ＡＦＥ回路１２からの画像データを所定規格の映像データに変換する。記録再生処理回路１６は、カメラ信号処理回路１４からの映像データを記録媒体たるメモリ２０への記録用に処理する記録処理手段と、メモリ２０からの圧縮映像データを再生処理する再生処理手段からなる。記録再生処理回路１６は、所定の動画圧縮方式で映像データを圧縮符号化し、圧縮映像データを復号化する圧縮伸長回路を含む。記録再生処理回路１６は、メモリ制御回路１８を介してメモリ２０にデータを読み書きすることができる。メモリ２０は、半導体不揮発メモリからなるが、記録媒体としては、光ディスク又はハードディスク装置等であってもよい。
【００１７】
システム制御回路２２は、操作部２４によるユーザの指示及び動作状態に従い、本実施例の動作を統括的に制御する。操作部２４は、本実施例の特徴的な手段として、図１に例示したように、動画記録開始停止スイッチ２６、記録モード切替えスイッチ２８及び動作モード切替えスイッチ３０を具備する。もちろん、操作部２４は、再生操作のための操作手段、メニュー操作のための一般的な操作手段を具備する。動画記録開始停止スイッチ２６は、動画の記録開始と記録停止をユーザがシステム制御回路２２に指示するのに使用されるトグルスイッチである。記録モード切替えスイッチ２８は、通常記録モードとスナップ記録モードの切り替えをシステム制御回路２２に指示するのに使用される。動作モード切替えスイッチ３０は、撮影モード（記録モード）と再生モードの切り替えをユーザがシステム制御回路２２に指示するのに使用される。
【００１８】
記録再生処理回路１６は、撮影モードでのカメラ信号処理回路１４からの映像信号を混合回路３２に供給し、再生モードでは、メモリ２０から再生した再生映像信号を混合回路３２に供給する。混合回路３２は、記録再生処理回路１６からの映像信号にシステム制御回路２２からの、メニュー及び撮影情報等の画像信号を混合又は合成する。モニタ出力回路３４は、混合回路３２からの映像信号をモニタ３６に供給し、必要により出力端子（図示せず）により出力する。
【００１９】
本実施例における画像信号の基本的な流れを説明する。撮影モードの通常記録モードとスナップ記録モードは、録画終了が、ユーザ操作によるかタイマ操作によるかの違いであり、撮影による画像信号の流れ自体は、同じである。
【００２０】
撮像素子１０は、入射する光学像に応じた画像信号をＡＦＥ回路１２に出力する。ＡＦＥ回路１２は、撮像素子１０からの画像信号をサンプリングし、デジタル信号に変換する。カメラ信号処理回路１４は、ＡＦＥ回路１２からの画像データにガンマ補正及び色調整を行い、所定規格の映像信号を出力する。
【００２１】
記録再生処理回路１６は、カメラ信号処理回路１４からの映像データをモニタ用に処理して混合回路３２に供給する。混合回路３２は、記録再生処理回路１６からの映像信号にシステム制御回路２２からの画像信号を混合又は合成する。モニタ出力回路３４は、混合回路３２からの映像信号をモニタ３６に供給する。これにより、記録待機中及び記録中の画像がモニタ３６に表示される。
【００２２】
記録再生処理回路１６は、カメラ信号処理回路１４からの映像データを圧縮符号化する。圧縮符号化で生成された圧縮データは、メモリ制御回路１８によりメモリ２０に書き込まれる。このようにして、撮影による動画データがメモリ２０に記録される。
【００２３】
この記録処理は、通常記録モードではユーザによる動画記録開始停止スイッチ２６の操作（記録停止操作）により終了し、スナップ記録モードでは、記録開始から設定時間の経過により自動的に終了する。
【００２４】
再生モードでの動画再生動作は次の通りである。システム制御回路２２により指定された動画の圧縮映像データがメモリ２０から読み出され、メモリ制御回路１８を介して記録再生処理回路１６に供給される。記録再生処理回路１６は、メモリ２０から読み出した圧縮映像データを伸長し、再生映像信号を混合回路３２に供給する。混合回路３２は、記録再生処理回路１６からの再生映像信号にシステム制御回路２２からの画像信号を混合又は合成する。モニタ出力回路３４は、混合回路３２からの映像信号をモニタ３６に供給する。これにより、再生画像がモニタ３６に表示される。
【００２５】
図２は、記録モードでのシステム制御回路２２による記録動作の制御フローチャートを示す。
【００２６】
ユーザによる動画記録開始停止スイッチ２６の操作（記録開始操作）により、システム制御回路２２は、記録再生処理回路１６に動画記録動作を開始させる（Ｓ１）。
【００２７】
通常記録モードとスナップ記録モードのどちらが設定されているかを調べる（Ｓ２）。スナップ記録モードが設定されている場合（Ｓ２）、システム制御回路２２は、設定時間が経過するまで（Ｓ４）、記録再生処理回路１６にスナップ記録モードのための短時間動画記録を実行させ（Ｓ３）。他方、通常記録モードが設定されている場合（Ｓ２）、システム制御回路２２は、動画記録開始停止スイッチ２６による記録終了操作があるまで（Ｓ６）、記録再生処理回路１６に通常記録モードの長時間動画記録を実行させる（Ｓ５）。
【００２８】
設定時間の経過（Ｓ４）、又は記録終了操作（Ｓ６）により、システム制御回路２２は、記録動作を終了する（Ｓ７）。
【００２９】
本実施例では、通常記録モードで記録された動画に対し、自動で又は手動で代表的な動画部分（以下、代表動画という）を抽出して、確認用プレイリストに登録する。また、スナップ記録モードで記録された動画については、その全部を代表動画としてショートカットなどにより確認用プレイリストに登録する。システム制御回路２２が、これらの代表動画又は代表動画ファイルを生成する代表動画生成手段として機能する。
【００３０】
図３は、通常記録モードで録画された動画に対して代表動画を抽出し、確認用プレイリストに登録する処理のフローチャートを示す。
【００３１】
通常動画記録モードによる長時間動画をメモリ２０に保存する（Ｓ１１）。代表動画を自動又は手動で生成する設定かどうかを確認する（Ｓ１２，Ｓ１３）。自動、手動の何れでも代表動画を生成しない場合には（Ｓ１２，Ｓ１３）、そのまま終了する。
【００３２】
代表動画を生成する設定の場合（Ｓ１２，Ｓ１３）、動画抽出複製機能を利用するか、動画抽出機能を利用するかを判定する（Ｓ１４，Ｓ１５）。勿論、動画抽出複製機能及び動画抽出機能は、これらの機能が存在するときに利用可能になる。
【００３３】
動画抽出複製機能を利用する場合（Ｓ１４）、動画抽出複製機能は、先にメモリ２０に記録した長時間動画から代表動画とすべき動画部分を複製したファイルを生成する（Ｓ１６）。そして、原長時間動画のファイル名から予め決められたルールに従うファイル名を、この代表動画ファイルに付ける。例えば、原長時間動画のファイル名から一定の変換アルゴリズムで生成したファイル名、又は、原長時間動画ファイルのファイル名に所定文字列を付加したファイル名を採用する。この代表動画ファイルは、元の長時間動画とは別個のファイルである。
【００３４】
動画抽出機能を利用する場合（Ｓ１５）、動画抽出機能は、先にメモリ２０に記録した長時間動画の、代表動画とすべき動画部分を示すショートカットファイルを生成する（Ｓ１７）。例えば、このショートカットファイルは、対象の長時間動画ファイルを特定するデータ（ファイルＩＤ）と、代表動画となる動画部分の始点と終点を示すポインタを収容するファイルである。ファイルＩＤはファイルを一意に特定するシリアル番号、ファイル名、又はパス付きのファイル名等からなる。ショートカットファイルのファイル名に対象の長時間動画ファイルのファイルＩＤを含めれば、対象の長時間動画ファイルを特定するデータ自体をファイル内に含める必要が無くなる。代表動画となる動画部分は、再生時間軸上での先頭からの時間位置であってもよいし、長時間ファイル内での位置であってもよい。
【００３５】
ステップＳ１７で生成されるショートカットファイルも、代表動画の再生に使用される点で代表動画ファイルである。ステップＳ１６で生成される代表動画ファイルは、動画データを含む点がショートカットファイルとは異なる。動画データを実際に含むファイルを実動画ファイルと呼ぶ。ステップＳ１６で生成される代表動画ファイルは、実代表動画ファイルということになる。
【００３６】
ステップＳ１６又はＳ１７で生成された代表動画ファイルを確認用プレイリストに自動で追加する設定になっている場合（Ｓ１８）、生成された代表動画ファイルを確認用プレイリストに追加する（S２０）。自動追加の設定になっていない場合でも（S１８）、ユーザの追加指示があるときには（Ｓ１９）、生成された代表動画ファイルを確認用プレイリストに追加する（S２０）。自動追加の設定でなく（Ｓ１８）、ユーザの追加指示も無ければ（Ｓ１９）、生成された代表動画ファイルを破棄して、図３に示す処理を終了する。
【００３７】
図４は、代表動画から対応する原長時間動画を検索する処理のフローチャートを示す。
【００３８】
対象の代表動画がショートカットファイルで用意されているかどうかを判定する（Ｓ３１）。対象のファイルの内容を解析することで、ショートカットファイルかどうかは判別できる。ショートカットファイルである場合（Ｓ３１）、原長時間動画ファイルのファイルＩＤを検出し、そのファイルＩＤを持つ動画ファイル（原長時間動画ファイル）が存在するかどうかを調べる（Ｓ３２）。
【００３９】
原長時間動画ファイルが存在する場合（Ｓ３２）、ショートカットファイルが示す再生時間Ｔｘと、基準再生時間Ｔｙとを比較する（Ｓ３３）。ショートカットファイルが示す再生時間は、再生開始点から再生終了点までの時間として計算できる。基準再生時間Ｔｙは、原長時間動画ファイルの総再生時間でもよい。Ｔｘ＜Ｔｙの場合、原長時間動画ファイルのファイルＩＤ又はファイル名を検索結果として出力し（Ｓ３４）、そうでない場合、検索結果無し（ＮＵＬＬ）を出力する（Ｓ４１）。
【００４０】
対象の代表動画がショートカットファイルでない場合、即ち、実代表動画ファイルとして用意されている場合（Ｓ３１）、その実代表動画ファイルのファイルＩＤが所定文字列を付加されたファイルＩＤかどうかを調べる（Ｓ３５）。実代表動画ファイルのファイルＩＤが所定文字列を付加されたファイルＩＤである場合（Ｓ３５）、当該所定文字列を削除したファイルＩＤを生成する（Ｓ３６）。そうでない場合（Ｓ３５）、その実代表動画ファイルのファイルＩＤが所定の変換アルゴリズムで生成されたものかを調べる（Ｓ３９）。所定の変換アルゴリズムによるものである場合（Ｓ３９）、逆変換で、原長時間動画ファイルのファイル名を取得する（Ｓ４０）。
【００４１】
ステップＳ３６又はＳ４０で生成又は取得したファイルＩＤの長時間動画ファイルが存在するかどうかを調べる（Ｓ３７）。存在する場合には（Ｓ３７）、そのファイルＩＤ又はファイル名を検索結果として出力し（Ｓ３８）、そうでない場合（Ｓ３７）、検索結果無し（ＮＵＬＬ）を出力する（Ｓ４１）。
【００４２】
実代表動画ファイルのファイルＩＤが所定の変換アルゴリズムで生成されたものでない場合（Ｓ３９）、検索結果無し（ＮＵＬＬ）を出力する（Ｓ４１）。
【００４３】
確認用プレイリストに登録された代表動画を連続再生する際の動作を説明する。図５は、その動作フローチャートを示す。
【００４４】
ユーザ操作により代表動画の連続再生が指示されると、図５に示すフローがスタートする。メモリ２０の確認用プレイリストに未再生の代表動画があるかどうかを判定する（Ｓ５１）。未再生の代表動画がある場合（Ｓ５１）、一定の順番で、例えば、保存日時の古い順番で、再生対象を決定する（Ｓ５２）。決定した代表動画に対し、元となる長時間動画を検索する（Ｓ５３）。
【００４５】
元となる長時間動画（原長時間動画）が存在しない場合（Ｓ５４）、代表動画を再生表示する（Ｓ５５）。ユーザによる停止要求（例えば開始・停止キーの押下）があると（Ｓ５６）、図５に示すフローを終了する。ユーザによる停止要求が無いままに（Ｓ５６）、当該代表動画を終端まで再生したら（Ｓ５７）、この代表動画を確認用プレイリストから外して（すなわち、再生済みにして）、ステップＳ５１に戻る。
【００４６】
再生対象の代表動画に元となる長時間動画が存在する場合（Ｓ５４）、原長時間動画が存在する旨と、その原長時間動画を再生する操作方法を代表動画の再生画像に重畳して表示する（Ｓ５８）。図６は、そのような２つの重畳表示例を示す。図６（Ａ１），（Ａ２）は第１の表示例であって、（Ａ１）は原長時間動画が存在する場合の重畳表示例を示し、同（Ａ２）は、存在しない場合の表示例を示す。原長時間動画が存在する場合に、図６（Ａ１）に示すように、リンク動画ありのメッセージ４０と、操作説明４２を表示する。図６（Ｂ１），（Ｂ２）は第２の表示例であって、（Ｂ１）は原長時間動画が存在する場合の重畳表示例を示し、同（Ｂ２）は存在しない場合の表示例を示す。原長時間動画が存在する場合、図６（Ｂ１）に示すように操作説明４４を表示する。原長時間動画が存在しない場合、図６（Ｂ２）に示すように、リンク動画無しのメッセージ４６を表示する。
【００４７】
再生対象である代表動画の再生を開始する（Ｓ５９）。その再生の間、更なる再生操作（又は、原長時間動画の再生に割り当てた操作）の有無を監視する（Ｓ６０）。ユーザによる再生操作が無いままに（Ｓ６０）、ステップＳ５６と同様のユーザによる停止要求があると（Ｓ６１）、図５に示すフローを終了する。ユーザによる停止要求が無いままに（Ｓ６１）、当該代表動画を終端まで再生したら（Ｓ６２）、この代表画動画を連続再生プレイリストから外して（すなわち、再生済みにして）、ステップＳ５１に戻る。
【００４８】
代表動画の再生中に、ユーザによる再生操作を検出すると（Ｓ６０）、原長時間動画の再生を開始する（Ｓ６３）。原長時間動画の再生停止を指示するユーザ操作があると（Ｓ６４）、原長時間動画の再生を停止して、ステップＳ５１に戻る。また、原長時間動画を最後まで再生したら（Ｓ６５）、ステップＳ５１に戻る。
【００４９】
本実施例では、代表動画を使って、録画された動画の一覧を表示することができる。そして、その一覧表示上でも、代表動画に元となる長時間動画が存在する場合には、原長時間動画の存在と再生操作ガイドを示す情報を代表動画に重畳表示する。図７は、そのような一覧表示を生成する処理のフローチャートを示す。ここでは、確認用プレイリストに登録されている代表動画又はその先頭の静止画像を一覧表示するものとする。
【００５０】
ユーザ操作により短時間動画の一覧表示を指示されると、図７に示すフローがスタートする。メモリ２０に一覧表示対象となる動画があるかどうかを判定する。一覧表示対象となる動画は、ここでは、通常記録モードでメモリ２０に記録された長時間動画の代表動画と、スナップ録画モードでメモリ２０に記録されたスナップムービーである。
【００５１】
一覧表示の対象となる動画が無ければ（Ｓ７１）、終了する。一覧表示の対象となる動画が存在すれば（Ｓ７１）、一覧表示の対象となる動画の数をＮとし、カウンタ変数Ｃを０で初期化する（Ｓ７２）。
【００５２】
一覧表示の対象となる各動画について順番に、元になる長時間動画（原長時間動画）が存在するかどうかを調べ（Ｓ７４，Ｓ７５）、原長時間動画が存在する動画には、その旨を示すアイコンを重畳表示する（Ｓ７６，Ｓ７７）。即ち、一覧表示の対象となる動画から未検索の一つの動画を決定する（Ｓ７４）。決定した動画に対して、原長時間動画を検索し、カウンタ変数Ｃをインクリメントする（Ｓ７５）。原長時間動画が存在する場合（Ｓ７６）、一覧表示画面の該当する動画上に、原長時間動画の存在を示すアイコンを重畳表示する（Ｓ７７）。図８は、そのようなアイコンの重畳表示例を示す。原長時間動画の存在を示すアイコン又は図形であることの説明５０と、再生操作方法の説明５２を表示し、アイコン５４を該当する動画上に表示する。
【００５３】
カウンタ変数Ｃが総数Ｎに等しくなったら（Ｓ７３）、終了する。
【００５４】
図７に示す方法による一覧表示上で、元になった長時間動画に対して一定の再生操作をすることで、長時間動画が再生される。
【００５５】
本実施例では、連続表示又は一覧表示される短時間の動画に対して、元となった動画が存在する場合に、その旨を画面に表示する。所定の操作で、その元となった動画を再生するので、簡単な操作で元になった動画を再生表示させることができる。
【符号の説明】
【００５６】
１０：撮像素子    １２：アナログフロントエンド回路（ＡＦＥ回路）
１４：カメラ信号処理回路    １６：記録再生処理回路
１８：メモリ制御回路    ２０：メモリ（記録媒体）
２２：システム制御回路    ２４：操作部
２６：動画記録開始停止スイッチ    ２８：記録モード切替えスイッチ
３０：動画再生／記録切替えスイッチ    ３２：混合回路
３４：モニタ出力回路    ３６：モニタ
【図１】
2010199907.tif 000003
【図２】
2010199907.tif 000004
【図３】
2010199907.tif 000005
【図４】
2010199907.tif 000006
【図５】
2010199907.tif 000007
【図６】
2010199907.tif 000008
【図７】
2010199907.tif 000009
【図８】
2010199907.tif 000010